(57)【要約】      （修正有）【課題】快適に着用でき、しかも製造コストが低いマスクを提供する。【解決手段】マスク本体と、このマスク本体に連結された固定部材２０とを含み、マスク本体は防水不織布層１１ａと、皮膚親和性不織布層１１ｃと、防水不織布層１１ａと皮膚親和性不織布層１１ｃの間に取り付けられてユーザーの口・鼻の部位に対応するフィルタ不織布層１１ｂと、により構成する。又、防水不織布層と皮膚親和性不織布層の大きさは同様で、フィルタ不織布層１１ｂの大きさは防水不織布層１１ａや皮膚親和性不織布層１１ｃより小さく形成する。【選択図】図２
0003161074.tif 000002
【実用新案登録請求の範囲】
【請求項１】
マスク本体と、前記マスク本体に連結された固定部材と、を含み、前記マスク本体は、防水不織布層と、皮膚親和性不織布層と、前記防水不織布層と前記皮膚親和性不織布層の間に取り付けられてユーザーの口・鼻の部位に対応するフィルタ不織布層と、を含み、前記防水不織布層と前記皮膚親和性不織布層の大きさは同様で、前記フィルタ不織布層の大きさは前記防水不織布層や前記皮膚親和性不織布層より小さいことを特徴とするマスク。
【請求項２】
前記マスク本体は２つの熱可塑性不織布シートが接続されてなり、各熱可塑性不織布シートは前記防水不織布層、前記皮膚親和性不織布層、及び前記フィルタ不織布層を含み、前記２つの熱可塑性不織布シートの対向する側辺を相互に接着させ、前記接着させた箇所に接着バーを形成し、前記接着バーは、前記マスク本体の下縁近傍の一端に湾曲端を形成すると共に、前記マスク本体の下縁に延伸させ、前記マスク本体は、前記湾曲端の近傍に別途前記接着バーと相互に接続されたサブ接着バーを取り付け、前記２つの熱可塑性不織布シートは、前記接着箇所の上縁にＶ字型開口を形成することを特徴とする請求項１に記載のマスク。
【請求項３】
前記マスク本体は、前記防水不織布層、前記皮膚親和性不織布層、及び前記フィルタ不織布層を含む１つの熱可塑性不織布シートであることを特徴とする請求項1に記載のマスク。
【請求項４】
前記マスク本体は、前記防水不織布層、前記皮膚親和性不織布層、及び前記フィルタ不織布層を含む熱可塑性不織布シートであって、前記マスク本体の中央部を接着する接着バーを形成し、前記接着バーは前記マスク本体の上端部位又は下端部位に位置することを特徴とする請求項1に記載のマスク。
【請求項５】
前記マスク本体は、前記防水不織布層、前記皮膚親和性不織布層、及び前記フィルタ不織布層を含む熱可塑性不織布シートであって、前記マスク本体の中央部を接着する２本の接着バーを互いに間隔を空けて形成し、そのうちの１本の接着バーは、前記マスク本体の上端部位に位置し、他の１本の接着バーは、前記マスク本体の下端部位に位置することを特徴とする請求項１に記載のマスク。
【請求項６】
前記フィルタ不織布層は、熱可塑性繊維網の不織布であることを特徴とする請求項１〜５のいずれか一項に記載のマスク。
【請求項７】
前記固定部材は、前記マスク本体に固定される弾性紐又は着用バンドであることを特徴とする請求項1〜５のいずれか一項に記載のマスク。
【請求項８】
前記マスク本体に接合孔を設け、前記固定部材の両端にそれぞれ接合部材を設け、前記接合部材は前記接合孔に取り外し可能に接合することを特徴とする請求項１〜５のいずれか一項に記載のマスク。
【請求項９】
前記固定部材は耳掛け孔のある耳掛部であることを特徴とする請求項１〜５のいずれか一項に記載のマスク。
【考案の詳細な説明】
【技術分野】
【０００１】
本考案は快適に着用でき、しかも製造コストが低いマスクに関する。
【背景技術】
【０００２】
マスクは、主な目的が、顔面の口と鼻に着用されることによって空気を濾過してクリーンな空気を呼吸させ、呼吸器が不潔な空気によって感染されるのを防止することであるから、一般消費者に愛好されている。
【０００３】
従来のマスクは、通常、複数層構造となったマスク本体を有し、最も外側の層は液体が浸み込むのを防止することができる防水不織布層を形成し、中央の層は高密度の素材によって好ましいフィルタ効果のあるフィルタ不織布層を構成し、最も内側の層は親水性素材によってユーザーが呼吸する水分を吸着させることができる皮膚親和性不織布層を構成する。このように、フィルタ不織布層は、有害な空気を濾過することによって、有害な空気が人体に吸入されないようにする効果を果たしている。
【考案の概要】
【考案が解決しようとする課題】
【０００４】
上記のマスクは、有害な空気を濾過する効果があるものの、フィルタ不織布層のカバーする面積が大きいため、マスク本体の通気性が思わしくない。よって、このマスクを着用するとユーザーは蒸し暑く不快感を感じる。従って、本考案の主な目的は快適に着用できるだけでなく、製造コストが低いマスクを提供することにある。
【課題を解決するための手段】
【０００５】
上記の目的を達成するために本考案は、マスク本体と、このマスク本体に連結された固定部材とを含み、マスク本体は、防水不織布層、皮膚親和性不織布層、及び防水不織布層と皮膚親和性不織布層の間に取り付けられてユーザーの口・鼻の部位に対応するフィルタ不織布層を含み、防水不織布層と皮膚親和性不織布層の大きさは同様で、フィルタ不織布層の大きさは防水不織布層や皮膚親和性不織布層より小さいマスクを提供する。
【考案の効果】
【０００６】
本考案は下記の有益な効果を奏する。本考案に係るマスクのフィルタ不織布層の大きさは防水不織布層と皮膚親和性不織布層より小さいことから、マスク本体は、ユーザーの顔面の口・鼻部位から離れた位置では、防水不織布層と皮膚親和性不織布層にカバーされるだけなので、マスク本体の通気性を高くし、マスク本体と顔面との抵抗を減らすことができる。よって、ユーザーはこのマスクを着用すると快適性と通気性を感じられ、長時間着用しても蒸し暑く感じ難い。また、フィルタ不織布層は高価であるため、フィルタ不織布層のサイズを小さくすることでマスクの製造コストを節減することができる。
【図面の簡単な説明】
【０００７】
【図１】本考案に係る実施形態１の斜視構成図である。
【図２】本考案に係る実施形態１の斜視分解図である。
【図３】本考案に係る実施形態１のマスク本体の断面図である。
【図４】本考案に係る実施形態１の側面図である。
【図５】図４の局部の拡大図である。
【図６】本考案に係る実施形態２の斜視分解図である。
【図７】本考案に係る実施形態２の斜視構成図である。
【図７Ａ】本考案に係る実施形態２の接着バーが上端部位にある斜視構成図である。
【図７Ｂ】本考案に係る実施形態２の接着バーが下端部位にある斜視構成図である。
【図８】本考案に係る実施形態３の斜視構成図である。
【図９】本考案に係る実施形態３のマスク本体の斜視分解図である。
【図１０】本考案に係る実施形態４の斜視構成図である。
【図１１】本考案に係る実施形態４のマスク本体の斜視分解図である。
【図１２】本考案に係る実施形態５の斜視構成図である。
【図１３】本考案に係る実施形態６の斜視構成図である。
【図１４】本考案に係る実施形態７の斜視構成図である。
【図１５】本考案に係る実施形態８の斜視構成図である。
【図１６】本考案に係る実施形態９の斜視構成図である。
【考案を実施するための形態】
【０００８】
（実施形態１）
図１と図２は本考案の実施形態１のマスクであり、マスク本体１０と固定部材２０とを含む。本実施形態では、マスク本体１０は複数層構造となった２つの同様の熱可塑性不織布シート１１が接続されたものからなり、本実施形態では３層構造で説明するものの、これに限定されない。
【０００９】
各熱可塑性不織布シート１１は、防水不織布層１１ａ、皮膚親和性不織布層１１ｃ、及びフィルタ不織布層１１ｂの計３層を含み、防水不織布層１１ａは熱可塑性のポリプロピレン（ＰＰ）不織布であり、防水不織布層１１ａは熱可塑性不織布シート１１の最も外側の層に位置し、液体が浸み込むのを防止する機能を備える。
【００１０】
皮膚親和性不織布層１１ｃは熱可塑性のＥＳ不織布のような熱可塑性の複合繊維の不織布であり、熱可塑性不織布シート１１の最も内側の層に位置し（つまり、ユーザーの顔面部に密着させるのに用いる）、親水性がありユーザーが呼吸する水分を吸着させることができる。
【００１１】
フィルタ不織布層１１ｂは熱可塑性のメルトブラウン（ＭＥＬＴ−ＢＬＯＷＮ）不織布のような熱可塑性繊維網の不織布であり、防水不織布層１１ａと皮膚親和性不織布層１１ｃの間に取り付けられる（図３参照）。フィルタ不織布層１１ｂは高密度であることから好ましいフィルタ効果を生じさせる。
【００１２】
上記の防水不織布層１１ａと皮膚親和性不織布層１１ｃの大きさは同様であり、フィルタ不織布層１１ｂの大きさは防水不織布層１１ａや皮膚親和性不織布層１１ｃより小さく、フィルタ不織布層１１ｂの位置はユーザーの口・鼻の部位に対応した位置となる。
【００１３】
各熱可塑性不織布シート１１の後端にはそれぞれ固定部材２０を連結している。本実施形態の固定部材２０は２本の弾性紐２１であり、そのうちの１本の弾性紐２１の両端部はそれぞれ溶融して熱可塑性不織布シート１１の左側の後端の上下部位に固定接合し、他の弾性紐２１は同様に熱可塑性不織布シート１１の右側の後端の上下部位に固定接合することによって、耳掛け式のマスクを形成する。
【００１４】
また、固定部材２０は内部に耳掛け孔２２１を有する耳掛部２２（図１５参照）でもよく、また図１６に示すような着用バンド２３でもよく、耳掛部２２又は着用バンド２３は熱可塑性不織布又はその他の素材で製造することもできる。
【００１５】
ユーザーが本考案のマスクを着用すると、マスク本体１０はユーザーの顔面部に密着し、２本の弾性紐２１はそれぞれユーザーの耳に掛かり、本考案のフィルタ不織布層１１ｂは適切にユーザーの口・鼻の部位をカバーする。よって、フィルタ不織布層１１ｂの大きさは縮小可能であり、防水不織布層１１ａや皮膚親和性不織布層１１ｃと同様である必要がない。従って、マスク本体１０はユーザーの顔面の口・鼻部位から離れた位置では、防水不織布層１１ａと皮膚親和性不織布層１１ｃにカバーされるだけなので、この位置でのマスク本体１０は通気性がある。よって、マスク本体１０と顔面部との抵抗が減るので、ユーザーはマスクを着用すると快適性と通気性を感じられ、長時間着用しても蒸し暑く感じ難い。また、高価なフィルタ不織布層１１ｂの使用面積が小さいため、製造コストを節減することもできる。
【００１６】
本実施形態のマスク本体１０は、具体的に述べると、図４に示すように、２枚の熱可塑性不織布シート１１の対向する側辺を相互に接着させてなり、この接着箇所に接着バー１２を形成する。上記の接着方法は超音波や高周波等のホットメルト接着でよく、２枚の熱可塑性不織布シート１１を相互に接着させる。接着バー１２はマスク本体１０の下縁近傍の一端に湾曲端１２１（図５参照）を形成し、湾曲端１２１はマスク本体１０の下縁に延伸させると共に、マスク本体１０から若干突出させるか又はマスク本体１０から突出させない。また、湾曲端１２１と接着バー１２の接続箇所に弧状辺１２３を形成し、湾曲端１２１の近傍に接着バー１２と相互に接続するサブ接着バー１２２を別途取り付け、サブ接着バー１２２はマスク本体１０から若干突出させるか又はマスク本体１０から突出させない。さらに、図１に示すように、マスク本体１０は２枚の熱可塑性不織布シート１１の接着箇所の上縁に別途Ｖ字型開口１３を形成する。
【００１７】
ユーザーがマスクを顔面部に着用すると、マスク本体１０は２つの固定部材２０に引っ張られて、Ｖ字型開口１３が拡がってマスク本体１０がさらに顔面部にフィットする。一定時間経過すると、２枚の熱可塑性不織布シート１１の接着箇所の下縁に作用する牽引力は湾曲端１２１の弧状辺１２３に分散されるため、２枚の熱可塑性不織布シート１１は分離しにくい。また万一引っ張る力が過大で、２枚の熱可塑性不織布シート１１の接着箇所の下縁に分離現象が生じ、サブ接着バー１２２の位置まで分離した場合でも、サブ接着バー１２２は、２枚の熱可塑性不織布シート１１が分離するのを阻止して、マスク本体１０を引き続き使用可能とする。
【００１８】
（実施形態２）
図６、図７は本考案に係る実施形態２のマスクである。本実施形態は、１つの熱可塑性不織布シート１１であって、その内部に上記の防水不織布層１１ａ、皮膚親和性不織布層１１ｃ、及びサイズが防水不織布層１１ａや皮膚親和性不織布層１１ｃより小さいフィルタ不織布層１１ｂ（図示せず）を同様に含む一体成形タイプのマスク本体１０を提供する。
【００１９】
このほかに、熱可塑性不織布シート１１の中間の上端部位と下端部位には、各々接合切欠１４、１６を形成する。そして、２つの接合切欠１４、１６を２本の接着バー１５、１７でそれぞれ接合する。このように、マスク本体１０の中央部を接着する２本の接着バー１５、１７を、上下に互いに間隔を空けて形成する。下方にある接着バー１７のマスク本体１０の下縁の近傍に上記の湾曲端１２１、サブ接着バー１２２、及び弧状辺１２３等の部材（図示せず）が同様に取り付けられるが、その形状と効果は何れも前記と同様であるため、ここでは説明を省略する。本実施形態の長所は、マスク本体１０が一体成形で、中間部はホットメルト接着されていないので、良好な通気性があるところである。また接合されていないので平滑な着用感を得られるところである。
【００２０】
図７Ａのマスクは、熱可塑性不織布シート１１の中間の上端部位にのみ接合切欠（図示せず）を形成して接着バー１５でその接合切欠を接合したものである。図７Ｂのマスクは、熱可塑性不織布シート１１の中間の下端部位にのみ接合切欠（図示せず）を形成して接着バー１７でその接合切欠を接合したものである。換言すると、図７Ａ、図７Ｂのマスクは、接着バーをマスク本体１０の上端部位又は下端部位に１本設けたものである。
【００２１】
（実施形態３）
図８、図９は本考案に係る実施形態３のマスクであり、実施形態１との相違点は、平面タイプのマスク本体１０を提供することにある。マスク本体１０は、同様に、防水不織布層１１ａ、皮膚親和性不織布層１１ｃ、及びフィルタ不織布層１１ｂを含む熱可塑性不織布シート１１であって、熱可塑性不織布シート１１上には複数の折畳み部１８を設けている。フィルタ不織布層１１ｂは、ユーザーの口・鼻の部位をカバーするが、その短辺方向のサイズは防水不織布層１１ａや皮膚親和性不織布層１１ｃより小さい。
【００２２】
（実施形態４）
図１０、図１１は本考案に係る実施形態４のマスクであり、実施形態３との相違点は、マスク本体１０の両側端同士をほぼ平行な２本の弾性紐２１で接続してヘッドバンドタイプのマスクを形成することにある。マスク本体１０内のフィルタ不織布層１１ｂは、ユーザーの口・鼻の部位をカバーするだけのサイズとなっていて、その長辺方向のサイズは防水不織布層１１ａや皮膚親和性不織布層１１ｃより小さい。
【００２３】
（実施形態５）
図１２は本考案に係る実施形態５のマスクであり、実施形態１との相違点は、２本の弾性紐２１でマスク本体１０の左側の後端と右側の後端とをほぼ平行に接続して、ヘッドバンドタイプのマスクを形成することにある。
【００２４】
（実施形態６）
図１３は本考案に係る実施形態６のマスクであり、マスク本体１０の左右両側の後端には２つの接合孔１９をそれぞれ上下に形成し、それぞれの側の嵌合孔１９が互いに対向するように形成する。固定部材２０の数量は２本であり、各固定部材２０は弾性紐のような弾性素材で出来たバンド２４を有し、バンド２４の両端にそれぞれ接合部材２５を設けている。本実施形態のマスクは、各固定部材２０の接合部材２５が、マスク本体１０の接合孔１９に取り外し可能に接合して、固定部材２０とマスク本体１０とが分離可能な分離タイプのマスクを形成する。
【００２５】
本実施形態のマスクは、２つの固定部材２０の接合部材２５と、対応するマスク本体１０の接合孔１９によって、マスク本体１０と２つの固定部材２０とを自由に接続／分離することができる。従って、マスク本体１０を長時間使用してそのフィルタ効果が落ちると、ユーザーはマスク本体１０を交換するだけで済み、固定部材２０を引き続き使用できる。よって、本実施形態のマスクは、マスク本体１０を交換する際、固定部材２０の長さを毎回調整する必要が無く、着用に便利であり、しかも環境保護の要件を満たし、ユーザーのコストを削減する。
【００２６】
（実施形態７）
図１４は本考案に係る実施形態７のマスクであり、実施形態６との相違点は、２つの固定部材２０のうちの１つの固定部材２０の両側の接合部材２５が、マスク本体１０の左右両側の後端の上方に位置する接合孔１９にそれぞれ接合され、もう１つの固定部材２０の両端の接合部材２５が、マスク本体１０の左右両側の後端の下方に位置する接合孔１９にそれぞれ接合されるヘッドバンドタイプのマスクを形成することにある。
【００２７】
（実施形態８）
図１５は本考案に係る実施形態８のマスクであり、固定部材２０が、内部に耳掛け孔２２１を有する耳掛部２２を備え、耳掛部２２が、熱可塑性不織布シート１１と一体成型になった構造、又は、熱可塑性不織布シート１１と異なる素材で相互に接続された構造である。
【００２８】
（実施形態９）
図１６は本考案に係る実施形態９のマスクであり、ヘッドバンドタイプのマスクであり、マスク本体１０に連結された複数本の着用バンド２３で上記の各実施形態における固定部材２０の代替をする。本実施形態のマスクは、使用する際、対向する各２本の着用バンド２３で結び目を作ってユーザーの頭部に固定すればよい。
【００２９】
以上のように、本考案に係るマスクは、フィルタ不織布層１１ｂが適切にユーザーの口、鼻の部位をカバーした上で、フィルタ不織布層１１ｂの大きさを防水不織布層１１ａや皮膚親和性不織布層１１ｃより小さくした。よって、マスク本体１０はユーザーの顔面の口・鼻部位から離れた位置では、防水不織布層１１ａと皮膚親和性不織布層１１ｃにカバーされるだけなので、通気性がよい。また、マスク本体１０と顔面部との抵抗が減るので、ユーザーは本考案に係るマスクを着用すると、快適性や通気性を感じられ、長時間着用しても蒸し暑く感じ難い。また、フィルタ不織布層１１ｂが高価であるため、フィルタ不織布層１１ｂのサイズを小さくすることでマスクの製造コストを節減することができる。
【符号の説明】
【００３０】
１０    マスク本体
１１    熱可塑性不織布シート
１１ａ  防水不織布層
１１ｂ  フィルタ不織布層
１１ｃ  皮膚親和性不織布層
１２    接着バー
１２１  湾曲端
１２２  サブ接着バー
１２３  弧状辺
１３    Ｖ字型開口
１４    接合切欠
１５    接着バー
１６    接合切欠
１７    接着バー
１８    折畳み部
１９    接合孔
２０    固定部材
２１    弾性紐
２２    耳掛部
２２１  耳掛け孔
２３    着用バンド
２４    バンド
２５    接合部材
【図１】
0003161074.tif 000003
【図２】
0003161074.tif 000004
【図３】
0003161074.tif 000005
【図４】
0003161074.tif 000006
【図５】
0003161074.tif 000007
【図６】
0003161074.tif 000008
【図７】
0003161074.tif 000009
【図７Ａ】
0003161074.tif 000010
【図７Ｂ】
0003161074.tif 000011
【図８】
0003161074.tif 000012
【図９】
0003161074.tif 000013
【図１０】
0003161074.tif 000014
【図１１】
0003161074.tif 000015
【図１２】
0003161074.tif 000016
【図１３】
0003161074.tif 000017
【図１４】
0003161074.tif 000018
【図１５】
0003161074.tif 000019
【図１６】
0003161074.tif 000020